(57)【要約】【課題】一方の光ファイバの先端面から他方の光ファイバの先端面までの間隔を精密に規定することができる光コネクタ及び光結合構造を提供する。【解決手段】光コネクタ２Ａは、光ファイバ１０と、フェルール端面１１ａ及び光ファイバ保持孔１３を有するフェルール１１と、フェルール１１に取り付けられると共にフェルール端面１１ａから突出し、フェルール端面１１ａと相手側光コネクタとの間隔Ｔを規定するスペーサ３０Ａと、を備える。フェルール１１は、フェルール端面１１ａの長辺１１ｆａを共有する上面１１ｆに設けられた嵌め込み溝Ｄを含む。スペーサ３０Ａの一方の端部には、フェルール端面１１ａから突出すると共に、相手側光コネクタに突き当てられる前端面３０ａが設けられる。スペーサの他方の端部には、嵌め込み溝Ｄに取り付けられる本体部３１Ａが設けられる。【選択図】図５
2017203897.tif 000002
【特許請求の範囲】
【請求項１】
光ファイバと、
相手側光コネクタと対面するフェルール端面、及び、前記フェルール端面において開口しており前記開口から前記光ファイバの先端面が露出するように前記光ファイバが保持される光ファイバ保持孔を有するフェルールと、
前記フェルールに取り付けられると共に前記フェルール端面から突出し、前記フェルール端面と前記相手側光コネクタとの間隔を規定するスペーサと、を備え、
前記フェルールは、前記フェルール端面の辺部を共有すると共に、前記フェルール端面とは別の主面に設けられたスペーサ取付部を含み、
前記スペーサの一方の端部には、前記フェルール端面から突出すると共に、前記相手側光コネクタに突き当てられる前端面が設けられており、
前記スペーサの他方の端部には、前記スペーサ取付部に取り付けられる本体部が設けられている、光コネクタ。
【請求項２】
前記フェルール端面の前記辺部は、長辺及び前記長辺よりも短い短辺を含み、
前記主面は、前記長辺を前記フェルール端面と共有する、請求項１に記載の光コネクタ。
【請求項３】
前記本体部は、前記前端面に対して平行である後端面を含む、請求項１又は２に記載の光コネクタ。
【請求項４】
前記スペーサの一方の端部には、前記相手側光コネクタと前記フェルール端面との間に挟まれる間隔規定部が設けられており、
前記間隔規定部は、前記前端面と、前記フェルール端面に当接するフェルール端面当接面と、を含む、請求項１〜３の何れか一項に記載の光コネクタ。
【請求項５】
前記光ファイバ保持孔から露出された前記光ファイバの先端面は、前記光ファイバの光軸方向に対して傾斜している、請求項１〜４の何れか一項に記載の光コネクタ。
【請求項６】
前記スペーサは、前記フェルールと同じ材料により構成される、請求項１〜５の何れか一項に記載の光コネクタ。
【請求項７】
前記スペーサは、前記フェルールに対してエポキシ系接着剤により接着されている、請求項１〜６の何れか一項に記載の光コネクタ。
【請求項８】
前記光ファイバの先端面には、反射防止膜が設けられている、請求項１〜７の何れか一項に記載の光コネクタ。
【請求項９】
互いに接続される第１及び第２の光コネクタを備え、
第１及び第２の光コネクタはそれぞれ、
光ファイバと、
相手側光コネクタと対面するフェルール端面、及び、前記フェルール端面において開口しており前記開口から前記光ファイバの先端面が露出するように前記光ファイバが保持される光ファイバ保持孔を有するフェルールと、
前記フェルールに取り付けられると共に前記フェルール端面から突出し、前記フェルール端面と前記相手側光コネクタとの間隔を規定するスペーサと、を備え、
前記フェルールは、前記フェルール端面の辺部を共有すると共に、前記フェルール端面とは別の主面に設けられたスペーサ取付部を含み、
前記スペーサの一方の端部には、前記フェルール端面から突出すると共に、前記相手側光コネクタに突き当てられる前端面が設けられており、
前記スペーサの他方の端部には、前記スペーサ取付部に取り付けられる本体部が設けられており、
前記第１の光コネクタの前記スペーサの前記前端面が前記第２の光コネクタの前記フェルール端面に当接しており、前記第２の光コネクタの前記スペーサの前記前端面が前記第１の光コネクタの前記フェルール端面に当接している、光結合構造。
【請求項１０】
前記第１の光コネクタにおける前記フェルールの前記光ファイバ保持孔から露出された第１の光ファイバの先端面は、前記第１の光ファイバの光軸方向に対して傾斜しており、
前記第２の光コネクタにおける前記フェルールの前記光ファイバ保持孔から露出された第２の光ファイバの先端面は、前記第２の光ファイバの光軸方向に対して傾斜しており、
前記第１の光ファイバの光軸は、前記第２の光ファイバの光軸に対してずれている、請求項９に記載の光結合構造。
【発明の詳細な説明】
【技術分野】
【０００１】
本発明は、光コネクタ及び光結合構造に関する。
【背景技術】
【０００２】
非特許文献１には、多芯光ファイバ同士を接続する光コネクタに用いられるフェルールが開示されている。このフェルールは、複数本の光ファイバを保持するための複数の孔を有し、当該孔に光ファイバがそれぞれ挿入される。光ファイバの先端はフェルール端面から僅かに突出する。
【先行技術文献】
【非特許文献】
【０００３】
【非特許文献１】S. Nagasawa et al., “A high-performance single-mode multifiberconnector using oblique and direct endface contact between multiple fibersarranged in a plastic ferrule,” IEEE Photonics Technology Letters, vol. 3, no.10, pp. 937-939, 1991
【発明の概要】
【発明が解決しようとする課題】
【０００４】
非特許文献１のフェルールは、光ファイバ同士のコネクタ接続の一方式であるＰＣ（Physical Contact）方式を採用する。図１３の（ａ）部及び図１３の（ｂ）部は、ＰＣ方式のフェルールの構造の一例を示す側断面図である。図１３の（ａ）部は接続前の状態を示し、図１３の（ｂ）部は接続している状態を示す。このフェルール１００は、円柱状の外観を有しており、光ファイバ１２０を保持するための孔１０２を中心軸線上に有する。光ファイバ１２０は、孔１０２に挿通され、フェルール１００の先端面１０４において先端部が外部に僅かに突出する。このＰＣ方式では、光ファイバ１２０の先端部を、接続相手側コネクタの同先端部と物理的に接触させて押圧することにより（図１３の（ｂ）部）、光ファイバ１２０同士を効率的に光結合させる。このような方式は、主に単心光ファイバ同士を接続する際に用いられる。
【０００５】
しかしながら、このような方式には次の問題がある。すなわち、フェルール端面に異物が付着した状態で接続してしまうと、押圧力によってフェルール端面に異物が密着してしまう。密着した異物を取り除くためには接触式のクリーナを使用する必要があり、また、異物の密着を防ぐためには頻繁に清掃を行う必要がある。さらに、複数本の光ファイバを同時に接続する場合、１本毎に所定の押圧力が要求されるので、光ファイバの本数が多くなるほど接続に大きな力が必要となる。
【０００６】
上記の問題に対し、互いに接続される光ファイバの先端面の間に間隔を設ける構造が考えられる。一方の光ファイバの先端面から他方の光ファイバの先端面までの間隔は、光接続効率に影響を及ぼす。従って、一方の光ファイバの先端面から他方の光ファイバの先端面までの間隔を精密に規定することが望まれている。
【０００７】
本発明は、このような問題点に鑑みてなされたものであり、一方の光ファイバの先端面から他方の光ファイバの先端面までの間隔を精密に規定することができる光コネクタ及び光結合構造を提供することを目的とする。
【課題を解決するための手段】
【０００８】
上述した課題を解決するために、本発明の一実施形態に係る光コネクタは、光ファイバと、相手側光コネクタと対面するフェルール端面、及び、フェルール端面において開口しており開口から光ファイバの先端面が露出するように光ファイバが保持される光ファイバ保持孔を有するフェルールと、フェルールに取り付けられると共にフェルール端面から突出し、フェルール端面と相手側光コネクタとの間隔を規定するスペーサと、を備え、フェルールは、フェルール端面の辺部を共有すると共に、フェルール端面とは別の主面に設けられたスペーサ取付部を含み、スペーサの一方の端部には、フェルール端面から突出すると共に、相手側光コネクタに突き当てられる前端面が設けられており、スペーサの他方の端部には、スペーサ取付部に取り付けられる本体部が設けられている。
【０００９】
また、本発明の別の実施形態に係る光結合構造は、互いに接続される第１及び第２の光コネクタを備え、第１及び第２の光コネクタはそれぞれ、光ファイバと、相手側光コネクタと対面するフェルール端面、及び、フェルール端面において開口しており開口から光ファイバの先端面が露出するように光ファイバが保持される光ファイバ保持孔を有するフェルールと、フェルールに取り付けられると共にフェルール端面から突出し、フェルール端面と相手側光コネクタとの間隔を規定するスペーサと、を備え、フェルールは、フェルール端面の辺部を共有すると共に、フェルール端面とは別の主面に設けられたスペーサ取付部を含み、スペーサの一方の端部には、フェルール端面から突出すると共に、相手側光コネクタに突き当てられる前端面が設けられており、スペーサの他方の端部には、スペーサ取付部に取り付けられる本体部が設けられており、第１の光コネクタのスペーサの前端面が第２の光コネクタのフェルール端面に当接しており、第２の光コネクタのスペーサの前端面が第１の光コネクタのフェルール端面に当接している。
【発明の効果】
【００１０】
本発明によれば、一方の光ファイバの先端面から他方の光ファイバの先端面までの間隔を精密に規定することができる光コネクタ及び光結合構造を提供できる。
【図面の簡単な説明】
【００１１】
【図１】図１は、本実施形態に係る光結合構造の構成を示す斜視図である。
【図２】図２は、図１の仮想面Ｓ１における光結合構造の断面を側面視した図である。
【図３】図３は、図２の領域Ｓ２を拡大して示す断面図である。
【図４】図４は、フェルール端面を示す正面図である。
【図５】図５は、光結合構造を分解し且つ拡大して示す斜視図である。
【図６】図６は、図２の領域Ｓ３を拡大して示す断面図である。
【図７】図７は、変形例１に係る光結合構造が備えるフェルールとスペーサとを示す分解斜視図である。
【図８】図８は、変形例２に係る光結合構造が備えるフェルールとスペーサとを示す分解斜視図である。
【図９】図９は、変形例３に係る光結合構造が備えるフェルールとスペーサとを示す分解斜視図である。
【図１０】図１０は、変形例４に係る光結合構造が備えるフェルールとスペーサとを示す分解斜視図である。
【図１１】図１１は、変形例５に係る光結合構造が備えるフェルールとスペーサとを示す分解斜視図である。
【図１２】図１２は、変形例６に係る光結合構造が備えるフェルールとスペーサとを示す分解斜視図である。
【図１３】図１３の（ａ）部及び図１３の（ｂ）部は、ＰＣ方式のフェルールの構造の一例を示す側断面図である。図１３の（ａ）部は接続前の状態を示し、図１３の（ｂ）部は接続された状態を示す。
【発明を実施するための形態】
【００１２】
［本願発明の実施形態の説明］
最初に、本発明の実施形態の内容を列記して説明する。本発明の一実施形態に係る光コネクタは、光ファイバと、相手側光コネクタと対面するフェルール端面、及び、フェルール端面において開口しており開口から光ファイバの先端面が露出するように光ファイバが保持される光ファイバ保持孔を有するフェルールと、フェルールに取り付けられると共にフェルール端面から突出し、フェルール端面と相手側光コネクタとの間隔を規定するスペーサと、を備え、フェルールは、フェルール端面の辺部を共有すると共に、フェルール端面とは別の主面に設けられたスペーサ取付部を含み、スペーサの一方の端部には、フェルール端面から突出すると共に、相手側光コネクタに突き当てられる前端面が設けられており、スペーサの他方の端部には、スペーサ取付部に取り付けられる本体部が設けられている。
【００１３】
この光コネクタは、フェルールに設けられたスペーサ取付部にスペーサの本体部が取り付けられる。このスペーサ取付部は、フェルール端面の辺部を共有する主面に設けられる。主面は、フェルール端面とは別の面である。従って、スペーサは、フェルール端面とは異なる面においてフェルールに取り付けられる。これらの構成によれば、スペーサは、光コネクタ同士の間隔を規定する部分と、スペーサをフェルールに取り付ける部分とが別である。従って、光コネクタ同士の間隔を規定する部分には、フェルールとスペーサとを物理的に固定するための要素が存在しない。このため、一方の光ファイバの先端面から他方の光ファイバの先端面までの間隔を精密に規定することができる。
【００１４】
上記の光コネクタにおいて、フェルール端面の辺部は、長辺及び長辺よりも短い短辺を含み、主面は、長辺をフェルール端面と共有する。この構成によれば、スペーサ取付部をフェルールに容易に設けることができる。
【００１５】
上記の光コネクタにおいて、本体部は、前端面に対して平行である後端面を含む。この構成によれば、相手側光コネクタから前端面に作用する力の向きに対して、フェルールのスペーサ取付部から後端面に作用する力の向きが平行且つ逆方向になる。従って、スペーサを介して光コネクタに相手側光コネクタを突き当てたときに、フェルールに対するスペーサのすべりの発生が抑制される。従って、光コネクタ同士の間ですべりが生じることを抑制できる。
【００１６】
上記の光コネクタにおいて、スペーサの一方の端部には、相手側光コネクタとフェルール端面との間に挟まれる間隔規定部が設けられ、間隔規定部は、前端面と、フェルール端面に当接するフェルール端面当接面と、を含む。この構成によれば、前端面からフェルール端面当接面までの長さによって、相手側光コネクタとフェルール端面との間隔が規定されると共に、光コネクタ同士の間隔を規定する部分には、フェルールとスペーサとを物理的に固定するための要素が存在しない。従って、一方の光ファイバの先端面から他方の光ファイバの先端面までの間隔をさらに精密に規定することができる。
【００１７】
上記の光コネクタにおいて、光ファイバ保持孔から露出された光ファイバの先端面は、光ファイバの光軸方向に対して傾斜する。これにより、光ファイバの先端面における反射戻り光を低減できる。
【００１８】
上記の光コネクタにおいて、スペーサは、フェルールと同じ材料により構成される。これにより、フェルールに対してスペーサを容易に取り付けることができる。
【００１９】
上記の光コネクタにおいて、スペーサは、フェルールに対してエポキシ系接着剤により接着されている。これにより、フェルールに対してスペーサを確実に取り付けることができる。
【００２０】
上記の光コネクタにおいて、光ファイバの先端面には、反射防止膜が設けられる。これにより、光ファイバの先端面における反射戻り光をさらに低減できる。
【００２１】
本発明の別の実施形態に係る光結合構造は、互いに接続される第１及び第２の光コネクタを備え、第１及び第２の光コネクタはそれぞれ、光ファイバと、相手側光コネクタと対面するフェルール端面、及び、フェルール端面において開口しており開口から光ファイバの先端面が露出するように光ファイバが保持される光ファイバ保持孔を有するフェルールと、フェルールに取り付けられると共にフェルール端面から突出し、フェルール端面と相手側光コネクタとの間隔を規定するスペーサと、を備え、フェルールは、フェルール端面の辺部を共有すると共に、フェルール端面とは別の主面に設けられたスペーサ取付部を含み、スペーサの一方の端部には、フェルール端面から突出すると共に、相手側光コネクタに突き当てられる前端面が設けられており、スペーサの他方の端部には、スペーサ取付部に取り付けられる本体部が設けられており、第１の光コネクタのスペーサの前端面が第２の光コネクタのフェルール端面に当接しており、第２の光コネクタのスペーサの前端面が第１の光コネクタのフェルール端面に当接している。
【００２２】
この光結合構造は、上記光コネクタが備える光ファイバとフェルールとを一対ずつ有すると共に、上記光コネクタが備えるスペーサを有する。従って、上記光コネクタと同様に、スペーサは、光コネクタ同士の間隔を規定する部分と、スペーサをフェルールに取り付ける部分とが別である。従って、光コネクタ同士の間隔を規定する部分には、フェルールとスペーサとを物理的に固定するための要素が存在しない。このため、一方の光ファイバの先端面から他方の光ファイバの先端面までの間隔を精密に規定することができる。
【００２３】
上記の光結合構造において、第１の光コネクタにおけるフェルールの光ファイバ保持孔から露出された第１の光ファイバの先端面は、第１の光ファイバの光軸方向に対して傾斜しており、第２の光コネクタにおけるフェルールの光ファイバ保持孔から露出された第２の光ファイバの先端面は、第２の光ファイバの光軸方向に対して傾斜しており、第１の光ファイバの光軸は、第２の光ファイバの光軸に対してずれる。これにより、光ファイバの先端面における反射戻り光を低減できる。
【００２４】
［本願発明の実施形態の詳細］
本発明の実施形態に係る光コネクタ及び光結合構造の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００２５】
図１は、本実施形態に係る光結合構造１Ａの構成を示す斜視図である。図２は、図１の仮想面Ｓ１における光結合構造１Ａの断面を側面視した図である。
【００２６】
図１に示されるように、本実施形態の光結合構造１Ａは、互いに接続される光コネクタ２Ａ及び光コネクタ３Ａ（相手側光コネクタ）を備える。光コネクタ２Ａ及び光コネクタ３Ａは、複数本（図には８本を例示）の光ファイバ１０と、光ファイバ１０を保持するフェルール１１とを備える。複数本の光ファイバ１０は、接続方向Ａ１に沿って各々延びており、接続方向Ａ１と交差する配置方向Ａ２に並んで配置される。光ファイバ１０は、ベアファイバ１０ａとベアファイバ１０ａを覆う樹脂被覆１０ｂとを有する。光コネクタ２Ａのフェルール１１及び光コネクタ３Ａのフェルール１１には、それぞれスペーサ３０Ａが取り付けられる。スペーサ３０Ａは、光コネクタ２Ａのフェルール１１と光コネクタ３Ａのフェルール１１との間隔を規定する。スペーサ３０Ａの詳細については後述する。
【００２７】
また、光コネクタ２Ａと光コネクタ３Ａとは、互いに同じ構成を有する。従って、以下の説明では、光コネクタ２Ａについて詳細に説明し、光コネクタ３Ａの説明は省略する。
【００２８】
フェルール１１は、略直方体状の外観を有しており、例えば樹脂によって構成される。フェルール１１は、接続方向Ａ１の一端側に設けられたフェルール端面１１ａと、他端側に設けられた後端面１１ｂとを有する。フェルール１１は、接続方向Ａ１に沿って延びる一対の側面１１ｃ，１１ｄを有する。フェルール１１は、フェルール端面１１ａから後端面１１ｂに貫通する一対のガイド孔１１ｇ，１１ｈを有する。一対のガイド孔１１ｇ，１１ｈは、光ファイバ１０の光軸に沿った断面と交差する方向（本実施形態では配置方向Ａ２）に並ぶ。これらのガイド孔１１ｇ，１１ｈのそれぞれには、一対のガイドピン２１ａ，２１ｂがそれぞれ挿入される。一対のガイドピン２１ａ，２１ｂは、光コネクタ２Ａと光コネクタ３Ａとの相対位置を固定する。
【００２９】
図２に示されるように、フェルール端面１１ａは、ファイバ露出面１１ａａと、スペーサ突き当て面１１ａｂとを有する。光コネクタ２Ａのフェルール端面１１ａは、光コネクタ３Ａのフェルール端面１１ａと対面する。具体的には、光コネクタ２Ａのファイバ露出面１１ａａは、光コネクタ３Ａのファイバ露出面１１ａａと対面する。ファイバ露出面１１ａａは、接続方向Ａ１に対して傾斜する。スペーサ突き当て面１１ａｂは、接続方向Ａ１に対して直交する。
【００３０】
後端面１１ｂには、複数本の光ファイバ１０をまとめて受け入れる導入孔１２が形成される。また、導入孔１２からフェルール端面１１ａに亘って貫通するように複数の光ファイバ保持孔１３が形成される。光ファイバ１０は、接続方向Ａ１における途中から先端面１０ｃに亘って樹脂被覆１０ｂが除去されることによりベアファイバ１０ａが露出する。ベアファイバ１０ａは、光ファイバ保持孔１３のそれぞれに挿入されて保持される。ベアファイバ１０ａの先端面１０ｃは、ファイバ露出面１１ａａにおいて露出しており、好適にはファイバ露出面１１ａａと面一である。これらの先端面１０ｃは、レンズ等の光学要素、屈折率整合剤などを介することなく（空気のみを介して）直接に、相手側コネクタのベアファイバ１０ａの先端面１０ｃと光結合される。従って、一方の光コネクタの先端面１０ｃから出射した光は、多少の拡がりを有しつつ他方の光コネクタの先端面１０ｃに入射する。なお、先端面１０ｃには、反射防止膜（ＡＲコート）が設けられていてもよい。
【００３１】
図３は、図２の領域Ｓ２を拡大して示す断面図である。図３に示されるように、光ファイバ１０の光軸に沿った断面において、光ファイバ１０の先端面１０ｃ及びファイバ露出面１１ａａの法線方向Ｖ１（第１の法線、第２の法線）は、光ファイバ１０の光軸方向Ｖ２に対して傾斜する。また、光コネクタ２Ａに設けられた光ファイバ１０（第１の光ファイバ）の先端面１０ｃにおける法線（第１の法線）が、光コネクタ３Ａに設けられた光ファイバ１０（第２の光ファイバ）の先端面１０ｃにおける法線（第２の法線）に対して平行である。さらに、光コネクタ２Ａに設けられた光ファイバ１０（第１の光ファイバ）の光軸方向Ｖ２は、光コネクタ３Ａに設けられた光ファイバ１０（第２の光ファイバ）の光軸方向Ｖ２に対して方向Ａ３の方向にずれる。これにより、先端面１０ｃにおける反射戻り光が低減する。この場合、光ファイバ１０の先端面１０ｃから出射される光の光路Ｌ１は、先端面１０ｃにおいて先端面１０ｃの傾斜の向きとは逆向きに屈折する。
【００３２】
図４は、フェルール端面１１ａを示す正面図である。図４に示されるように、ファイバ露出面１１ａａにおいて、光ファイバ１０の先端面１０ｃの中心位置Ｃ１は、一対のガイド孔１１ｇ，１１ｈの中心を結ぶ直線Ｅ１に対して僅かに上方にずれる。言い換えれば、接続方向Ａ１及び配置方向Ａ２の双方と交差する方向Ａ３（すなわちフェルール１１の上下方向）において、フェルール１１の中心に対し光ファイバ１０の中心軸線は上面１１ｆ側に僅かにずれる。従って、光路Ｌ１が屈折しても、光コネクタ２Ａ及び光コネクタ３Ａが互いに上下反転して接続されることにより、それぞれの光ファイバ１０の光軸同士が互いに上下方向にずれるので、これらの光ファイバ１０同士が好適に光結合できる。
【００３３】
ここでフェルール端面１１ａは、接続方向Ａ１からみると略矩形状である。従って、フェルール端面１１ａは、一対の長辺１１ｆａ，１１ｅａと一対の短辺１１ｃａ，１１ｄａとを含む。一方の長辺１１ｆａは、ファイバ露出面１１ａａに含まれる。ファイバ露出面１１ａａと連続すると共に一方の長辺１１ｆａを共有する面が上面１１ｆである。他方の長辺１１ｅａはスペーサ突き当て面１１ａｂに含まれる。スペーサ突き当て面１１ａｂと連続すると共に他方の長辺１１ｅａを共有する面が底面１１ｅである。
【００３４】
図５は、光結合構造１Ａを分解し且つ拡大して示す斜視図である。フェルール１１は、上面１１ｆに設けられた嵌め込み溝Ｄ（スペーサ取付部）を有する。嵌め込み溝Ｄは、上面１１ｆにおいて配置方向Ａ２における略中央に設けられる。嵌め込み溝Ｄは、接続方向Ａ１に対して直交する後側壁面１１ｊと、接続方向Ａ１に延びる一対の側壁面１１ｐとに囲まれた領域である。嵌め込み溝Ｄの前側には、ファイバ露出面１１ａａに開口した開口１１ｑが設けられる。
【００３５】
光コネクタ２Ａは、スペーサ３０Ａをさらに備える。スペーサ３０Ａは、本体部３１Ａと間隔規定部３２Ａとを有する。本体部３１Ａは、嵌め込み溝Ｄに嵌め込まれて、例えば、エポキシ系接着材によりフェルール１１に接着されている。間隔規定部３２Ａは、光コネクタ２Ａと光コネクタ３Ａとの間に挟み込まれて、光コネクタ２Ａのファイバ露出面１１ａａと光コネクタ３Ａのファイバ露出面１１ａａとの間隔を規定する。スペーサ３０Ａの構成材料はフェルール１１の材料と同じであることが望ましい。例えばガラスフィラーの入ったポリフェニレンサルファイド（ＰＰＳ）がよい。
【００３６】
本体部３１Ａは、接続方向Ａ１に延在する略直方体形状を有する。本体部３１Ａは、後端面３０ｂと、一対の側面３０ｃ，３０ｄと、上面３０ｆと、底面３０ｅとを有する。本体部３１Ａは、その全体が嵌め込み溝Ｄに嵌め込まれる。従って、一対の側面３０ｃ，３０ｄは、嵌め込み溝Ｄの溝幅（一方の側壁面１１ｐから他方の側壁面１１ｐまでの間隔）と略等しい。また、後端面３０ｂから間隔規定部３２Ａまでの長さは、嵌め込み溝Ｄの後側壁面１１ｊから開口１１ｑまでの間隔と略等しい。
【００３７】
図６は、図２の領域Ｓ３を拡大して示す断面図である。図６に示されるように、間隔規定部３２Ａは、スペーサ３０Ａの一方の端部、すなわち本体部３１Ａの前側に設けられる。光コネクタ２Ａに取り付けられたスペーサ３０Ａの間隔規定部３２Ａは、光コネクタ２Ａのファイバ露出面１１ａａから光コネクタ３Ａに向けて突出する。間隔規定部３２Ａは、接続方向Ａ１の一方の端部に設けられた前端面３０ａを有する。前端面３０ａは、後端面３０ｂに対して平行である。また、間隔規定部３２Ａは、ファイバ露出面１１ａａと当接する端面当接面３０ｇ（フェルール端面当接面）を有する。端面当接面３０ｇは、ファイバ露出面１１ａａに沿うように接続方向Ａ１に対して傾く。
【００３８】
スペーサ３０Ａは、間隔規定部３２Ａが、光コネクタ２Ａのファイバ露出面１１ａａと光コネクタ３Ａのスペーサ突き当て面１１ａｂとの間に挟まれて、光コネクタ２Ａと光コネクタ３Ａとの間隔Ｔを規定する。この間隔Ｔは、例えば２０μｍ以上１００μｍ以下である。ここで、前端面３０ａがスペーサ突き当て面１１ａｂに接触し、且つ、端面当接面３０ｇがファイバ露出面１１ａａに接触したときにおけるスペーサ突き当て面１１ａｂから後側壁面１１ｊまでの長さが（Ｒ１）であるとする。
【００３９】
まず、スペーサ３０Ａは、前端面３０ａから後端面３０ｂまでの長さが（Ｒ１）よりわずかに大きくてもよい。この場合には、光コネクタ２Ａを光コネクタ３Ａに押し当てたときの力は、スペーサ３０Ａを介して、光コネクタ２Ａと光コネクタ３Ａとに作用する。ここで、スペーサ３０Ａのフェルール１１に押し当てられる後端面３０ｂと、光コネクタ３Ａに押し当てられる前端面３０ａと、は接続方向Ａ１に対して直交する。従って、接続方向Ａ１に交差する方向に光コネクタ２Ａと光コネクタ３Ａとが相対的にずれることを抑制できる。一方、スペーサ３０Ａは、前端面３０ａから後端面３０ｂまでの間隔が（Ｒ１）よりわずかに短くてもよい。この場合には、後端面３０ｂと後側壁面１１ｊとの間にわずかな隙間が形成される。当該隙間によれば、間隔規定部３２Ａが光コネクタ２Ａと光コネクタ３Ａとの間に確実に挟まれるので、間隔Ｔをさらに高精度に設定することができる。
【００４０】
また、スペーサ３０Ａは、フェルール１１とは別部材である。従って、傾斜したファイバ露出面１１ａａ及び光ファイバ１０の先端面１０ｃを研磨等によって容易に形成できる。
【００４１】
以上に説明した本実施形態の光結合構造１Ａ及び光コネクタ２Ａによって得られる効果について説明する。光コネクタ２Ａにおいて、スペーサ３０Ａの本体部３１Ａはフェルール１１に設けられた嵌め込み溝Ｄ（スペーサ取付部）に取り付けられる。この嵌め込み溝Ｄは、長辺１１ｆａを含む上面１１ｆ（主面）に設けられる。上面１１ｆは、フェルール端面１１ａとは別の面である。従って、スペーサ３０Ａは、フェルール端面１１ａとは異なる面においてフェルール１１に取り付けられる。この構成によれば、フェルール端面１１ａ上に接着剤等が配置されないので、光コネクタ２Ａのフェルール端面１１ａから光コネクタ３Ａ（相手側光コネクタ）までの間隔Ｔは、フェルール端面１１ａから前端面３ａまでの長さにより規定される。これらの構成によれば、スペーサ３０Ａは、光コネクタ２Ａと光コネクタ３Ａとの間隔Ｔを規定する部分（すなわち間隔規定部３２Ａ）と、スペーサ３０Ａをフェルール１１に取り付ける部分（すなわち本体部３１Ａ）とが別である。従って、光コネクタ２Ａ，３Ａ同士の間隔Ｔを規定する部分（間隔規定部３２Ａ）には、フェルール１１とスペーサ３０Ａとを物理的に固定するための要素（例えば接着剤など）が存在しない。このため、一方の光ファイバ１０の先端面１０ｃから他方の光ファイバ１０の先端面１０ｃまでの間隔を精密に規定することができる。
【００４２】
上記の光コネクタにおいて、フェルール端面１１ａの辺部は、長辺１１ｆａを含み、上面１１ｆは、長辺１１ｆａをフェルール端面１１ａと共有する。この構成によれば、嵌め込み溝Ｄをフェルール１１に容易に設けることができる。
【００４３】
スペーサ３０Ａによれば、フェルール端面１１ａと相手側光コネクタとの間（または、光コネクタ２Ａ，３Ａのフェルール端面１１ａの間）に所定の間隔を容易に設けることができる。従って、非接触の光接続構造を実現し、異物の密着を低減してフェルール端面１１ａの清掃を（例えばエアダスターなどを用いて）容易にすることができ、或いは清掃を不要にできる。また、ＰＣ方式と異なり、接続に大きな力を必要とせずに、多数の光ファイバ１０を同時に接続することができる。更には、レンズを介していないので光路に存在する光学部材の数を少なくできる。これにより、光接続損失を抑えることができるとともに、調芯工程を不要にし、製造工程を少なくしてコストを低く抑えることができる。
【００４４】
本実施形態の光コネクタ２Ａにおいて、本体部３１Ａは、前端面３０ａに対して平行であり、後側壁面１１ｊに突き当てられる後端面３０ｂを含む。この構成によれば、光コネクタ３Ａから前端面３０ａに作用する力の向きに対して、フェルール１１の嵌め込み溝Ｄから後端面３０ｂに作用する力の向きが平行且つ逆方向になる。従って、スペーサ３０Ａを介して光コネクタ２Ａに光コネクタ３Ａを突き当てたときに、フェルール１１に対するスペーサ３０Ａのすべりの発生が抑制される。従って、光コネクタ２Ａと光コネクタ３Ａとの間ですべりが生じることを抑制できる。
【００４５】
本実施形態の光コネクタ２Ａにおいて、スペーサ３０Ａの一方の端部には、間隔規定部３２Ａが設けられる。間隔規定部３２Ａは、前端面３０ａと、端面当接面３０ｇと、を含む。この構成によれば、前端面３０ａから端面当接面３０ｇまでの長さによって、光コネクタ２Ａと光コネクタ３Ａとの間隔Ｔが規定されると共に、光コネクタ２Ａ，３Ａ同士の間隔Ｔを規定する部分（間隔規定部３２Ａ）には、フェルール１１とスペーサ３０Ａとを物理的に固定するための要素が存在しない。このため、一方の光ファイバ１０の先端面１０ｃから他方の光ファイバ１０の先端面１０ｃまでの間隔をさらに精密に規定することができる。
【００４６】
本実施形態の光コネクタ２Ａにおいて、光ファイバ保持孔１３から露出された光ファイバ１０の先端面１０ｃは、光ファイバ１０の光軸方向Ｖ２に対して傾斜する。これにより、光ファイバ１０の先端面１０ｃにおける反射戻り光を低減できる。
【００４７】
本実施形態の光コネクタ２Ａにおいて、スペーサ３０Ａは、フェルール１１と同じ材料により構成される。これにより、フェルール１１に対してスペーサ３０Ａを容易に取り付けることができる。
【００４８】
本実施形態の光コネクタ２Ａにおいて、スペーサ３０Ａは、フェルール１１に対してエポキシ系接着剤により接着されている。これにより、フェルール１１に対してスペーサ３０Ａを確実に取り付けることができる。
【００４９】
本実施形態の光コネクタ２Ａにおいて、光ファイバ１０の先端面１０ｃには、反射防止膜が設けられてもよい。これにより、光ファイバ１０の先端面１０ｃにおける反射戻り光をさらに低減できる。
【００５０】
上述した実施形態は本発明に係る光コネクタ及び光結合構造の一例を示すものである。本発明に係る光コネクタ及び光結合構造は、実施形態に係る光コネクタ及び光結合構造に限られるものではなく、各請求項に記載した要旨を変更しない範囲で、変形し又は他のものに適用したものであってもよい。
【００５１】
＜変形例１＞
図７は、変形例１に係る光結合構造１Ｂが備えるフェルール１１とスペーサ３０Ｂとを示す分解斜視図である。図７に示されるように、光結合構造１Ｂは、スペーサ３０Ｂの形状が光結合構造１Ａのスペーサ３０Ａと相違する。なお、光結合構造１Ｂにおいて、光ファイバ１０及びフェルール１１の構成は光結合構造１Ａの光ファイバ１０及びフェルール１１と同じであるので、詳細な説明は省略する。以下、スペーサ３０Ｂについて詳細に説明する。
【００５２】
光結合構造１Ｂは、スペーサ３０Ｂを有する光コネクタ２Ｂを備える。スペーサ３０Ｂは、本体部３１Ｂと間隔規定部３２Ｂとを有する。本体部３１Ｂと間隔規定部３２Ｂとは一体に形成される。本体部３１Ｂの構成は、光結合構造１Ａの本体部３１Ａと同じである。間隔規定部３２Ｂは、主部３２Ｂａと、一対の側部３２Ｂｂとを有する。主部３２Ｂａ及び一対の側部３２Ｂｂは、配置方向Ａ２に沿って一対の側部３２Ｂｂが主部３２Ｂａを挟むように設けられる。主部３２Ｂａと一対の側部３２Ｂｂとは一体に形成される。主部３２Ｂａは、本体部３１Ｂに設けられて、本体部３１Ｂと同じ幅を有する部分であり、光結合構造１Ａの間隔規定部３２Ａに相当する。主部３２Ｂａ及び側部３２Ｂｂにおいて、相手側光コネクタに対面する面には、前端面３０ａが構成される。また、主部３２Ｂａ及び側部３２Ｂｂにおいて、光コネクタ２Ｂのフェルール１１と対面する面には、端面当接面３０ｇが構成される。
【００５３】
これら主部３２Ｂａ及び側部３２Ｂｂを有するスペーサ３０Ｂによれば、光コネクタ２Ｂと相手側光コネクタとの間に挟み込まれる間隔規定部３２Ｂの長さが光結合構造１Ａの間隔規定部３２Ａよりも長くなる。従って、光コネクタ２Ｂと相手側光コネクタとの間隔が精度良く保たれる領域を拡大することができる。
【００５４】
＜変形例２＞
図８は、変形例２に係る光結合構造１Ｃが備えるフェルール１１とスペーサ３０Ｃとを示す分解斜視図である。図８に示されるように、光結合構造１Ｃは、スペーサ３０Ｃの形状が光結合構造１Ａのスペーサ３０Ａと相違する。なお、光結合構造１Ｃにおいて、光ファイバ１０及びフェルール１１の構成は光結合構造１Ａの光ファイバ１０及びフェルール１１と同じであるので、詳細な説明は省略する。以下、スペーサ３０Ｃについて詳細に説明する。
【００５５】
光結合構造１Ｃは、スペーサ３０Ｃを有する光コネクタ２Ｃを備える。スペーサ３０Ｃは、本体部３１Ｃと、間隔規定部３２Ｃとを有する。本体部３１Ｃと間隔規定部３２Ｃとは一体に形成される。スペーサ３０Ｃは、間隔規定部３２Ｃが一対の側部３２Ｃｂと、切り欠き部３２Ｃｄとを有する点でスペーサ３０Ａと相違する。間隔規定部３２Ｃは、主部３２Ｃａと、一対の側部３２Ｃｂとを有する。主部３２Ｃａ及び一対の側部３２Ｃｂは、配置方向Ａ２に沿って一対の側部３２Ｃｂが主部３２Ｃａを挟むように設けられる。主部３２Ｃａと一対の側部３２Ｃｂとは一体に形成される。間隔規定部３２Ｃには、配置方向Ａ２に延びる切り欠き部３２Ｃｄが設けられる。切り欠き部３２Ｃｄは、主部３２Ｃａと一対の側部３２Ｃｂの一部が切り欠かれることにより設けられる。切り欠き部３２Ｃｄの主面３２Ｃｅは、本体部３１Ｃの底面３０ｅと面一である。従って、切り欠かれていない側部３２Ｃｂの一部は、切り欠き部３２Ｃｄの主面３２Ｃｅ及び本体部３１Ｃの底面３０ｅから方向Ａ３に突出する。この突出した部分は、間隔規定部３２Ｃにおける両端に形成される。また、主部３２Ｃａ及び側部３２Ｃｂにおいて、相手側光コネクタに対面する面には、前端面３０ａが構成される。また、側部３２Ｃｂにおいて、光コネクタ２Ｃのフェルール１１と対面する面には、端面当接面３０ｇが構成される。
【００５６】
これら主部３２Ｃａ及び側部３２Ｃｂを有するスペーサ３０Ｃによれば、スペーサ３０Ｂと同様に、光コネクタ２Ｃと相手側光コネクタとの間隔が精度良く保たれる領域を拡大することができる。また、切り欠き部３２Ｃｄを有するスペーサ３０Ｃによれば、ファイバ露出面１１ａａに当接する端面当接面３０ｇの面積が減少する。ここで、切り欠き部３２Ｃｄは、主部３２Ｃａと一対の側部３２Ｃｂの一部とに設けられるので、ファイバ露出面１１ａａの長辺１１ｆａに近い領域に端面当接面３０ｇが当接される。従って、ファイバ露出面１１ａａにおいて、光ファイバ保持孔１３の開口を形成可能な領域を確保することができる。
【００５７】
＜変形例３＞
図９は、変形例３に係る光結合構造１Ｄが備えるフェルール１１とスペーサ３０Ｄとを示す分解斜視図である。図９に示されるように、光結合構造１Ｄは、スペーサ３０Ｄの形状が光結合構造１Ａのスペーサ３０Ａと相違する。なお、光結合構造１Ｄにおいて、光ファイバ１０及びフェルール１１の構成は光結合構造１Ａの光ファイバ１０及びフェルール１１と同じであるので、詳細な説明は省略する。以下、スペーサ３０Ｄについて詳細に説明する。
【００５８】
光結合構造１Ｄは、スペーサ３０Ｄを有する光コネクタ２Ｄを備える。スペーサ３０Ｄは、本体部３１Ｄと、間隔規定部３２Ｄとを有する。本体部３１Ｄと間隔規定部３２Ｄとは一体に形成される。スペーサ３０Ｄは、間隔規定部３２Ｄが側部３２Ｄｂと、切り欠き部３２Ｄｄとを有する点でスペーサ３０Ａと相違する。間隔規定部３２Ｄは、主部３２Ｄａと、側部３２Ｄｂとを有する。主部３２Ｄａ及び側部３２Ｄｂは、配置方向Ａ２に沿って配置される。主部３２Ｄａと側部３２Ｄｂとは一体に形成される。間隔規定部３２Ｄには、配置方向Ａ２に延びる切り欠き部３２Ｄｄが設けられる。切り欠き部３２Ｄｄは、主部３２Ｄａと側部３２Ｄｂの一部が切り欠かれることにより設けられる。切り欠き部３２Ｄｄの主面３２Ｄｅは、本体部３１Ｄの底面３０ｅと面一である。従って、切り欠かれていない側部３２Ｄｂの一部は、切り欠き部３２Ｄｄの主部３２Ｄａ及び本体部３１Ｄの底面３０ｅから方向Ａ３に突出する。この突出した部分は、間隔規定部３２Ｄにおける一方の端部側に形成される。また、主部３２Ｄａ及び側部３２Ｄｂにおいて、相手側光コネクタに対面する面には、前端面３０ａが構成される。また、側部３２Ｄｂにおいて、光コネクタ２Ｄのフェルール１１と対面する面には、端面当接面３０ｇが構成される。
【００５９】
これら主部３２Ｄａ及び側部３２Ｄｂを有するスペーサ３０Ｄによれば、スペーサ３０Ｂと同様に、光コネクタ２Ｄと相手側光コネクタとの間隔が精度良く保たれる領域を拡大することができる。また、切り欠き部３２Ｄｄを有するスペーサ３０Ｄによれば、スペーサ３０Ｃと同様に、ファイバ露出面１１ａａにおいて、光ファイバ保持孔１３の開口を形成可能な領域を確保することができる。
【００６０】
＜変形例４＞
図１０は、変形例４に係る光結合構造１Ｅが備えるフェルール１１とスペーサ３０Ｅとを示す分解斜視図である。図１０に示されるように、光結合構造１Ｅは、スペーサ３０Ｅの形状が光結合構造１Ａのスペーサ３０Ａと相違する。なお、光結合構造１Ｅにおいて、光ファイバ１０及びフェルール１１の構成は光結合構造１Ａの光ファイバ１０及びフェルール１１と同じであるので、詳細な説明は省略する。以下、スペーサ３０Ｅについて詳細に説明する。
【００６１】
光結合構造１Ｅは、スペーサ３０Ｅを有する光コネクタ２Ｅを備える。スペーサ３０Ｅは、本体部３１Ｅと、間隔規定部３２Ｅとを有する。本体部３１Ｅと間隔規定部３２Ｅとは一体に形成される。スペーサ３０Ｅは、間隔規定部３２Ｅが側部３２Ｅｂと延長部３２Ｅｃとを有する点でスペーサ３０Ａと相違する。間隔規定部３２Ｅは、主部３２Ｅａと、側部３２Ｅｂと、延長部３２Ｅｃとを有する。主部３２Ｅａ及び側部３２Ｅｂは、配置方向Ａ２に沿って配置される。すなわち、主部３２Ｅａに側部３２Ｅｂの一端が設けられる。また、側部３２Ｅｂの他端には、延長部３２Ｅｃの一端が設けられる。延長部３２Ｅｃは、側部３２Ｅｂの他端から、ファイバ露出面１１ａａ及びスペーサ突き当て面１１ａｂに沿って一方の長辺１１ｆａ側から他方の長辺１１ｆｅ側に延びる。主部３２Ｅａ及び側部３２Ｅｂにおいて、相手側光コネクタに対面する面には、前端面３０ａが構成される。また、延長部３２Ｅｃにおいて相手側光コネクタに対面する面には、相手側光コネクタのファイバ露出面１１ａａに当接される第１の追加当接面３０ｊが構成される。側部３２Ｅｂにおいて、光コネクタ２Ｅのフェルール１１と対面する面には、端面当接面３０ｇが構成される。また、延長部３２Ｅｃにおいて光コネクタ２Ｅのフェルール１１と対面する面には、端面当接面３０ｇと、スペーサ突き当て面１１ａｂに当接する第２の追加当接面３０ｋが構成される。
【００６２】
これら主部３２Ｅａ及び側部３２Ｅｂを有するスペーサ３０Ｅによれば、スペーサ３０Ｂと同様に、光コネクタ２Ｅと相手側光コネクタとの間隔が精度良く保たれる領域を拡大することができる。また、延長部３２Ｅｃを有するスペーサ３０Ｅによれば、間隔規定部３２Ｅが長辺１１ｆａに沿う主部３２Ｅａ及び側部３２Ｅｂと、短辺１１ｃａに沿う延長部３２Ｅｃとを含む。このようなスペーサ３０Ｅを用いた場合には、光コネクタ２Ｅと相手側光コネクタとの間には、枠状の間隔規定要素が形成される。従って、光コネクタ２Ｅと相手側光コネクタとの接合状態を安定化させることができる。
【００６３】
＜変形例５＞
図１１は、変形例５に係る光結合構造１Ｆが備えるフェルール１１とスペーサ３０Ｆとを示す分解斜視図である。図１１に示されるように、光結合構造１Ｆは、スペーサ３０Ｆの形状が光結合構造１Ａのスペーサ３０Ａと相違する。なお、光結合構造１Ｆにおいて、光ファイバ１０及びフェルール１１の構成は光結合構造１Ａの光ファイバ１０及びフェルール１１と同じであるので、詳細な説明は省略する。以下、スペーサ３０Ｆについて詳細に説明する。
【００６４】
光結合構造１Ｆは、スペーサ３０Ｆを有する光コネクタ２Ｆを備える。スペーサ３０Ｆは、本体部３１Ｆと、間隔規定部３２Ｆとを有する。本体部３１Ｆと間隔規定部３２Ｆとは一体に形成される。スペーサ３０Ｆは、間隔規定部３２Ｆが側部３２Ｆｂと第３の追加当接部３２Ｆｃとを有する点でスペーサ３０Ａと相違する。間隔規定部３２Ｆは、主部３２Ｆａと、側部３２Ｆｂと、第３の追加当接部３２Ｆｃとを有する。主部３２Ｆａ及び側部３２Ｆｂは、配置方向Ａ２に沿って配置される。すなわち、主部３２Ｆａに配置方向Ａ２に延びる側部３２Ｆｂの一端が設けられる。また、主部３２Ｆａ及び側部３２Ｆｂの下面側には、第３の追加当接部３２Ｆｃが設けられる。第３の追加当接部３２Ｆｃは、主部３２Ｆａの端面から、側部３２Ｆｂの端面まで配置方向Ａ２に沿って延びる。主部３２Ｆａ及び側部３２Ｆｂにおいて、相手側光コネクタに対面する面には、前端面３０ａが構成される。第３の追加当接部３２Ｆｃにおいて、相手側光コネクタに対面する面には、相手側光コネクタのファイバ露出面１１ａａに当接する第３の追加当接面３０ｈが構成される。また、主部３２Ｆａ、側部３２Ｆｂ及び第３の追加当接部３２Ｆｃにおいて、光コネクタ２Ｆのフェルール１１と対面する面には、端面当接面３０ｇが構成される。
【００６５】
これら主部３２Ｆａ及び側部３２Ｆｂを有するスペーサ３０Ｆによれば、スペーサ３０Ｂと同様に、光コネクタ２Ｆと相手側光コネクタとの間隔が精度良く保たれる領域を拡大することができる。また、第３の追加当接部３２Ｆｃを有するスペーサ３０Ｆによれば、相手側光コネクタとの接触面積が増加するので、光コネクタ２Ｆと相手側光コネクタとの接触状態を安定化させることができる。さらには、側部３２Ｆｂ及び第３の追加当接部３２Ｆｃを有するスペーサ３０Ｆによれば、間隔を大きくすることもできる。
【００６６】
＜変形例６＞
図１２は、変形例６に係る光結合構造１Ｇが備えるフェルール１１とスペーサ３０Ｇとを示す分解斜視図である。図１２に示されるように、光結合構造１Ｇは、スペーサ３０Ｇの形状が光結合構造１Ａのスペーサ３０Ａと相違する。なお、光結合構造１Ｇにおいて、光ファイバ１０及びフェルール１１の構成は光結合構造１Ａの光ファイバ１０及びフェルール１１と同じであるので、詳細な説明は省略する。以下、スペーサ３０Ｇについて詳細に説明する。
【００６７】
光結合構造１Ｇは、スペーサ３０Ｇを有する光コネクタ２Ｇを備える。スペーサ３０Ｇは、本体部３１Ｇと間隔規定部３２Ｇとを有する。本体部３１Ｇと間隔規定部３２Ｇとは一体に形成される。本体部３１Ｇの構成は、光結合構造１Ａにおける本体部３１Ａと同じである。間隔規定部３２Ｇの前端面３０ａは、半円形状である。
【００６８】
間隔規定部３２Ｇを有するスペーサ３０Ｇによれば、スペーサ３０Ｂと同様に、光コネクタ２Ｇと相手側光コネクタとの間隔Ｔが精度良く保たれる領域を拡大することができる
【符号の説明】
【００６９】
１Ａ，１Ｂ，１Ｃ，１Ｄ，１Ｅ，１Ｆ，１Ｇ…光結合構造、２Ａ，２Ｂ，２Ｃ，２Ｄ，２Ｅ，２Ｆ，２Ｇ…光コネクタ、３Ａ…光コネクタ（相手側光コネクタ）、１０…光ファイバ、１０ａ…ベアファイバ、１０ｂ…樹脂被覆、１０ｃ…先端面、１１…フェルール、１１ａ…フェルール端面、１１ｆ…上面（主面）、１１ｆａ…長辺、１１ｇ，１１ｈ…ガイド孔、１２…導入孔、１３…光ファイバ保持孔、３０Ａ，３０Ｂ，３０Ｃ，３０Ｄ，３０Ｅ，３０Ｆ，３０Ｇ…スペーサ、３０ａ…前端面、３１Ａ，３１Ｂ，３１Ｃ，３１Ｄ，３１Ｅ，３１Ｆ，３１Ｇ…本体部、３２Ａ，３２Ｂ，３２Ｃ，３２Ｄ，３２Ｅ，３２Ｆ，３２Ｇ…間隔規定部、Ａ１…接続方向、Ｄ…嵌め込み溝（スペーサ取付部）、Ｌ１…光路、Ｔ…間隔。
【図１】
2017203897.tif 000003
【図２】
2017203897.tif 000004
【図３】
2017203897.tif 000005
【図４】
2017203897.tif 000006
【図５】
2017203897.tif 000007
【図６】
2017203897.tif 000008
【図７】
2017203897.tif 000009
【図８】
2017203897.tif 000010
【図９】
2017203897.tif 000011
【図１０】
2017203897.tif 000012
【図１１】
2017203897.tif 000013
【図１２】
2017203897.tif 000014
【図１３】
2017203897.tif 000015